(57)【要約】【課題】エギの出し入れの作業を容易にしつつエギが収納部から不用意に飛び出してしまうのを防止して、使い勝手のよいエギ収納体を提供する。【解決手段】基材２の一方の面２１側にエギＥを収納するための収納部３が設けられ、収納部３の断面形状がその一辺が基材２の一方の面２１に沿う略三角形状となるように一対の収納部形成部材４が設けられ、一方の収納部形成部材４の一端４１から他方の収納部形成部材４の一端４１まで亘る底部材５が設けられているエギ収納体１において、収納部形成部材４の他端４２は、基材２の一方の面２１側である基端４２ａから基材２と離間するにつれて底部材５側に下がっている第１坂部４２１と、第１坂部４２１に連続し先端４２ｂまで底部材５と略平行となっている又は第１坂部４２１と同じ方向に第１坂部４２１よりも緩やかに下がっている第２坂部４２２とを備えることを特徴とする。【選択図】図１
2008011736.tif 000002
【特許請求の範囲】
【請求項１】
板状の基材の一方の面側にエギを上下方向に収納するための収納部が設けられ、収納部の断面形状がその一辺が基材の一方の面に沿う略三角形状となるように一対の収納部形成部材が設けられ、一方の収納部形成部材の一端から他方の収納部形成部材の一端まで亘る底部材が設けられているエギ収納体において、収納部形成部材の他端は、基材の一方の面側である基端から基材と離間するにつれて底部材側に下がっている第１坂部と、第１坂部に連続し先端まで底部材と略平行となっている又は第１坂部と同じ方向に第１坂部よりも緩やかに下がっている第２坂部とを備えることを特徴とするエギ収納体。
【請求項２】
第１坂部は、底部材側の方向と反対の方向に凸となるように弓形に曲がった形状であることを特徴とする請求項１に記載のエギ収納体。
【請求項３】
基材は、収納部が設けられる一方の面が対向するように一対設けられ、収納部は、基材の対向する内面側それぞれに底部材を同じ側に配置して並列に連設され、それぞれの基材は、底部材側を中心として他方の基材に対して接近する又は離間する方向に回動可能に構成され、基材同士を接近状態としたときに、一方の基材の内面側に連設された各収納部を形成する各収納部形成部材と、他方の基材の内面側に連設された各収納部を形成する各収納部形成部材とが互いに相補的に噛み合うように構成されてなり、第１坂部は、底部材側と反対の方向に凸となるように弓形に曲がった形状であることを特徴とする請求項１に記載のエギ収納体。
【発明の詳細な説明】
【技術分野】
【０００１】
本発明は、烏賊釣等に用いるエギを収納するためのエギ収納体に関する。
【背景技術】
【０００２】
従来、例えば、エギを収納するエギ収納体としては、板状の基材の一方の面側にエギを上下方向に収納するための収納部が設けられ、収納部の断面形状がその一辺が基材の一方の面に沿う略三角形状となるように一対の収納部形成部材が設けられ、一方の収納部形成部材の一端から他方の収納部形成部材の一端まで亘る底部材が設けられてなり、収納部形成部材の他端が基材の一方の面側である基端から基材と離間した側の先端まで底部材側に直線状に一定の割合で傾斜しているものが知られている（下記特許文献１参照）。
【０００３】
かかるエギ収納体は、複数のエギを釣に持って行く場合に、収納部に複数のエギを収納して持ち運ぶことができるものである。かかるエギ収納体の使用者（釣人）は、釣り場や天候等の状況に応じて、収納部からエギを出し入れして最適なエギを適宜選択して釣をする。従って、かかるエギ収納体にあっては、複数のエギを収納して持ち運べ手際よく出し入れできるといった使い勝手のよさが求められる。
【特許文献１】特許第３６０５０７９号公報
【発明の開示】
【発明が解決しようとする課題】
【０００４】
しかしながら、上記従来のエギ収納体にあっては、収納部を形成する収納部形成部材の他端がその基端から先端まで一定の割合で底部材側に傾斜する直線状に形成されているので、かかる傾斜を緩やかなものとした場合には、収納部形成部材の基端から先端まで、収納部を形成する収納部形成部材が全体的に多くなる。よって、持ち運びの際などにエギが収納部から不用意に飛び出してしまうのを防止することができるものの、エギを手指で摘んでエギ収納体に出し入れする作業が煩雑のものとなる。
【０００５】
一方、収納部形成部材の他端の傾斜を急なものとした場合、収納部形成部材の先端部において収納部形成部材が極端に少なくなる。よって、エギをしっかり摘んで出し入れの作業を行うことができるものの、持ち運びの際などにエギが収納部（特に、収納部形成部材の先端部側）から不用意に飛び出してしまう場合がある。
【０００６】
そこで、本発明は、上記問題に鑑みてなされ、収納部に収納するエギの出し入れの作業を容易にしつつ収納したエギが収納部から不用意に飛び出してしまうのを防止することで、使い勝手のよいエギ収納体を提供することを課題とする。
【課題を解決するための手段】
【０００７】
本発明は、上記課題を解決すべくなされたものであり、本発明に係るエギ収納体は、板状の基材の一方の面側にエギを上下方向に収納するための収納部が設けられ、収納部の断面形状がその一辺が基材の一方の面に沿う略三角形状となるように一対の収納部形成部材が設けられ、一方の収納部形成部材の一端から他方の収納部形成部材の一端まで亘る底部材が設けられているエギ収納体において、収納部形成部材の他端は、基材の一方の面側である基端から基材と離間するにつれて底部材側に下がっている第１坂部と、第１坂部に連続し先端まで底部材と略平行となっている又は第１坂部と同じ方向に第１坂部よりも緩やかに下がっている第２坂部とを備えることを特徴とする。
【０００８】
該構成のエギ収納体にあっては、収納部形成部材の他端が、基材の一方の面側である基端から基材と離間するにつれて底部材側に下がっている第１坂部と、第１坂部に連続し先端まで底部材と略平行となっている又は第１坂部と同じ方向に第１坂部よりも緩やかに下がっている第２坂部とを備えるので、例えば、収納部形成部材の他端全体を、その基端から先端へ向く直線状にし、且つ、第２坂部のように底部材側に緩やかに傾斜するように形成した場合よりも、収納部形成部材の他端全体が底部材側に位置することとなり、収納部を形成する収納部形成部材が少なくなる。
【０００９】
一方で、収納部形成部材の他端全体を、その基端から先端へ向く直線状にし、且つ、第１坂部のように底部材側に急に傾斜するように形成した場合よりも、収納部形成部材の先端部は多くなる。
【００１０】
よって、エギを手指にてしっかり摘んで収納部から取り出す或いは収納部へ収納する等の作業を容易に行うことができ、併せて、収納部に収納したエギががさついて収納部から不用意に飛び出してしまうのを防止することができる。
【００１１】
特に、第１坂部は、底部材側の方向と反対の方向に凸となるように弓形に曲がった形状であることが好ましく、例えば、第１坂部が収納部形成部材の他端の基端から先端へ向けて底部材側に傾斜した直線状の形状である場合よりも、収納部形成部材の第１坂部に対応する部分が多くなり、より確実にエギが不用意に飛び出すのを防止することができる。
【００１２】
更に、基材は、収納部が設けられる一方の面が対向するように一対設けられ、収納部は、基材の対向する内面側それぞれに底部材を同じ側に配置して並列に連設され、それぞれの基材は、底部材側を中心として他方の基材に対して接近する又は離間する方向に回動可能に構成され、基材同士を接近状態としたときに、一方の基材の内面側に連設された各収納部を形成する各収納部形成部材と、他方の基材の内面側に連設された各収納部を形成する各収納部形成部材とが互いに相補的に噛み合うように構成されてなり、第１坂部は、底部材側と反対の方向に凸となるように弓形に曲がった形状であることが好ましい。
【００１３】
このようにすると、例えば、第１坂部が収納部形成部材の他端の基端から先端まで直線状に底部材側に傾斜して形状されている場合よりも、基材同士を接近させて収納部形成部材同士を噛み合わせた状態での、一方の基材側の第１坂部と、この第１坂部に噛み合う他方の基材側の他の第１坂部との接点が、底部材から一層離れる側に位置することとなり、噛み合った一方及び他方の収納部形成部材双方にて、収納部からのエギの不用意な飛び出しを確実に防止することができる。
【発明の効果】
【００１４】
以上のように、本発明にかかるエギ収納体にあっては、収納部形成部材の他端が、基材の一方の面側である基端から基材と離間するにつれて底部材側に下がっている第１坂部と、第１坂部に連続し先端まで底部材と略平行となっている又は第１坂部と同じ方向に第１坂部よりも緩やかに下がっている第２坂部とを備えるので、収納部に収納するエギの出し入れの作業を容易に行うことができると共に、収納したエギが収納部から不用意に飛び出してしまうのを防止することができる結果、使い勝手をよくすることができるという効果を奏する。
【発明を実施するための最良の形態】
【００１５】
以下、本発明に係るエギ収納体の一実施形態について図面を参酌しつつ説明する。
図１に、本実施形態におけるエギ収納体１が示されている。該エギ収納体１は、エギＥを並列に並べて容易に出し入れできるように収納することができるものである。エギ収納体１は、板状の基材２と、基材２の一方の面側に設けられエギを上下方向に収納する収納部３の断面形状をその一辺が基材２の一方の面に沿う略三角形状とする一対の収納部形成部材４と、一方の収納部形成部材４の一端（下端）から他方の収納部形成部材４の一端（下端）まで亘る底部材５とを備える。
【００１６】
基材２は、図１に示すように、左右方向に伸びる板状であり、例えば透明又は半透明の樹脂プレートにて構成されている。本実施形態では、基材２は、収納部３が設けられる一方の面２１が対向するように前後に一対設けられており、それぞれの基材２は、底部材５側となる左右方向に伸びる下端部２２を中心に他方の基材２に対して接近する又は離間する方向（前後両方向）に回動可能に構成されている。
【００１７】
そして、それぞれの基材２を連結するように各基材２の下端部２２に亘って折代部６が設けられている。具体的には、折代部６は、左右方向に伸びる板状であり、例えば透明又は半透明の樹脂プレートにて構成されている。折代部６は、一方の基材２の下端部２２から他方の基材２の下端部２２まで亘るように設けられ、本実施形態では、それぞれの基材２と一体となって基材２同士を一体的に連結している。そして、各基材２の下端部２２と折代部６との境目がそれぞれの基材２の回動の中心Ｃ１となっており、各基材２は、この中心Ｃ１周りに各々前後双方向に回動可能となっている。
【００１８】
収納部形成部材４は、図１に示すように、上下方向に伸びる板形状であり、例えば透明又は半透明の樹脂プレートにて構成されている。収納部形成部材４の上端４２は、後方端である基端４２ａから前方端である先端４２ｂ側ほど収納部形成部材４の下端４１側に下がっている第１坂部４２１と、第１坂部４２１に連続し先端４２ｂに至るまで下端４１と略平行となっている第２坂部４２２とを備える。
【００１９】
具体的には、第１坂部４２１は、図２に示すように、収納部形成部材４の下端４１側と反対の方向に凸となるように弓形に曲がった形状である。より詳細には、第１坂部４２１は、下端４１側に向けて下がる方向（傾斜方向）に対し略垂直な方向に弓形に突出した曲線形状である。本実施形態においては、収納部形成部材４の下端４１側に向けての第１坂部４２１の傾きは、先端４２ｂ側になるほど大きな傾きとなるように連続的に大きくなっており、基端４２ａ側ほど緩やかな傾きで、先端４２ｂ側ほど下端４１側へ向けて急な傾きとなっている。
【００２０】
第２坂部４２２は、第１坂部４２１の先端４２ｂ側にて第１坂部４２１に連続し、そこから先端４２ｂに至るまで収納部形成部材４の下端４１に略平行な方向に向けて略平坦に形成されている。本実施形態では、第２坂部４２２は、第１坂部４２１に滑らかに連続しているが、第１坂部４２１に対し屈曲するように連続している場合でもよい。
【００２１】
このような構成の収納部形成部材４は、基材２の一方の面としての内面２１に対し左右何れかの方向に傾けて配置されている。具体的には、収納部形成部材４は、その上下方向を基材２の上下方向と一致させると共に基端部４ａを基材２側に向け先端部４ｂを基材２から離間する側に向けて、基材２の内面２１に対し左右何れかの方向に傾けた状態で配置されている。そして、収納部形成部材４の基材２の内面２１に対する傾きと反対の傾きとなり、先端部４ｂ同士が接続され基端部４ａ同士が左右方向に離間するように、収納部形成部材４に隣接して次の収納部形成部材４が配置されている。更に、隣接する収納部形成部材４の基材２の内面２１に対する傾きと反対の傾きとなり、隣接する収納部形成部材４に対して基端部４ａ同士が接続され先端部４ｂ同士が左右方向に離間するように、更なる収納部形成部材４が連続して配置されている。
【００２２】
このように、収納部形成部材４は、基材２の内面２１に対し交互の傾きとなるように、左右方向に複数連設して設けられることにより、収納壁部材７を構成している。尚、本実施形態では、収納壁部材７は、各収納部形成部材４の接続されている先端部４ｂ同士又は基端部４ａ同士が一体的に連続して構成されている。
【００２３】
また、収納壁部材７は、左右方向にジグザグ状に連続する複数の収納部形成部材４のうち、先端部４ｂ同士が接続され基端部４ａ同士が離間している一対の収納部形成部材４のそれぞれの下端部４１同士を連結する底部材５を備える。具体的には、図２に示すように、底部材５は、一対の収納部形成部材４の各下端部４１の接続部分（各先端部４ｂ）を一つの頂点とし、各収納部形成部材４の基端部４ａをそれぞれ他の二つの頂点とする略三角形状である。
【００２４】
本実施形態におけるエギ収納体１にあっては、図１に示すように、左右方向にジグザグ状に連続する複数の収納部形成部材４と、先端部４ｂ同士が接続され基端部４ａ同士が離間している一対の収納部形成部材４のそれぞれの下端部４１同士を連結する底部材５とを備える収納壁部材７が基材２の内面２１に取り付けられることによって、エギを上下方向に収納するための収納部３が基材２の内面２１側に左右方向に複数連設して設けられる。具体的には、収納部形成部材４の基端部４ａ同士が接続されている部分が基材２の内面２１に当接し、底部材５が基材２の下端部２２側となるようにして収納壁部材７を基材２の内面２１に取り付けることによって、基材２と収納部形成部材４と底部材５とで囲まれる領域に収納部３が形成されることとなる。従って、収納部３は、その断面形状が基材２の内面２１に一辺が沿う略三角形状で、上側が開口し下側が底部材５にて閉塞されることとなる。そして、図３に示すように、左右方向に複数連設した収納部３それぞれに対し、収納部３の上側の開口からエギを上下方向に出し入れする。
【００２５】
本実施形態では、基材２は、収納部３が設けられる内面２１が対向するように前後に一対設けられると共に各々が下端部２２を中心Ｃ１に前後に回動可能に構成されており、各基材２の内面２１に、上記収納壁部材７がそれぞれ設けられている。そして、一方側の基材２に設けられた収納壁部材７（一方の収納壁部材７）と、他方の基材２に設けられた収納壁部材７（他方の収納壁部材７）とは、一方の収納壁部材７を形成する収納部形成部材４の先端部４ｂが他方の収納壁部材７を形成する収納部形成部材４の基端部４ａに対応するように、互いに左右方向に位置ずれして設けられている。
【００２６】
従って、各基材２をその下端部２２を中心Ｃ１に他方の基材２に対して接近する方向に回動させて基材２同士を接近状態とすると、一方の基材２の内面２１側に設けられる収納部３を形成する収納部形成部材４と、他方の基材２の内面２１に設けられる収納部３を形成する収納部形成部材４とは、互いに相補的に噛み合うこととなる。具体的には、図４に示すように、一方の基材２に設けられた各収納部３の間に、他方の基材２に設けられた各収納部３が各々嵌め合って互いに相補的に噛み合うこととなる。
【００２７】
以上のような構成のエギ収納体１は、以下のように、収納部３にエギＥを収納し外周縁部を閉塞して持ち運ぶことができるエギケース１００として用いることができる。具体的には、図５に示すように、エギケース１００は、上記構成のエギ収納体１の各基材２の下端部２２を除く外周縁部同士を着脱自在とすることで構成されている。より詳細には、エギ収納体１の基材２の下端部２２を除く外周縁部と折代部６の左右両端部とは、保護部材によって覆われている。つまり、各基材２の左右両端部と上端部とが保護部材としての保護テープでそれぞれ被覆され、更に、折代部６の左右両端部も保護テープ１７にてそれぞれ被覆されている。
【００２８】
また、エギケース１００には、基材２の下端部２２を除く外周縁部同士が着脱自在となるように、着脱手段Ｓ２が設けられている。具体的には、着脱手段Ｓ２は、基材２の下端部２２を除く外周縁部に沿って両基材２に跨るように設けられている。より詳細には、例えば着脱手段としてのスライドファスナーＳ２は、基材２の左右何れか一方の側端部の下部（例えば、折代部６の右端部付近）から上端部を通って他方の側端部の下部（例えば、折代部６の左端部付近）まで亘るように、スライドファスナーＳ２の幅方向の一端部を一方の基材２に取り付け他端部を他方の基材２に取り付けて設けられている。
【００２９】
また、一方の基材２の外面側上端部には、環状のベルト通し部１８が設けられている。具体的には、ベルト通し部１８は、ベルト通し部１８となる上下方向に伸びる矩形部材を環状に折り返して上下両端部を重ね合わせ、重ね合わせた上下両端部を基材２の上端部に固定して構成されている。ベルト通し部１８の環状に使用者Ｈが着用しているベルトを挿通することで、エギケース１００の持ち運びが容易になる。
【００３０】
尚、エギ収納体１をエギケース１００として用いる場合には、基材２同士の間の隙間と外部とを連通する水抜き口６１を折代部６に設けるのが好ましい。具体的には、図６に示すように、水抜き口６１は、折代部６を上下方向に貫通する開口部であり、例えば、楕円形状や円形状等の孔、又は多角形状の孔、或いはスリット状の切欠きである。また、水抜き口６１は、左右方向に一対設けられている。尚、水抜き口６１は、左右に一対設ける場合に限らず、１つのみ設けた場合でも２つ以上設けた場合でもよい。
【００３１】
尚、エギ収納体１をエギケース１００として用いる場合には、一対の基材２が一組のみ設けられている場合のほかに、例えば、図７に示すように、内面同士が対向する一対の基材２を複数組（例えば、２組）準備し、各組の一方の基材２の外面同士を重ね合わせて各組を並べて連結した場合であってもよい。この場合、それぞれの組を構成する両基材２の下端部２２間に亘るように折代部６を設けそれぞれの折代部６に水抜き口６１をそれぞれ設けるのがよい。
【００３２】
また、上記構成のエギ収納体１は、上述のようなエギケース１００として用いる場合に限られず、例えば以下のように、使用者Ｈの肩部から掛ける、或いは、腰部に巻き付けて着用するバッグ８に収納して用いることもできる。そして、使用者Ｈは、釣り場にてバッグ８を着用したままで収納部３からエギＥを出し入れして最適なエギＥを適宜選択しながら釣をする。具体的には、バッグ８は、上方へ開口したバッグ本体９と回動することによってバッグ本体９の開口を開閉する蓋部１０とを備える。
【００３３】
バッグ本体９は、図８に示すように、手前側に配置される後壁部１１と、後壁部１１に対向する前壁部１２と、前壁部１２の左右両端部と後壁部１１の左右両端部とをそれぞれ連結する一対の側壁部１３とを備える。バッグ本体９は、断面略矩形状の有底箱状であって、上方の開口部から収納物を出し入れすることができるようになっている。
【００３４】
また、バッグ本体９は、使用者Ｈがバッグ８を着用した際に、後壁部１１が手前側の配置となり、前壁部１２が手前側よりも遠い側の配置となる。具体的には、バッグ本体９は、後壁部１１が使用者Ｈの身体に近い側（後側）の配置となり、前壁部１２が使用者Ｈの身体に対し後壁部１１より遠い側（前側）の配置となるように構成されている。尚、本実施形態では、使用者Ｈがバッグ８を着用した状態において、後壁部１１は、その外面が使用者Ｈの身体（腰部）に当接する。ここで、手前側とは、使用者Ｈがバッグ８を通常の着用状態（後壁部１１を使用者Ｈ側にして着用した状態）で着用したときに、使用者Ｈに近い側（後側）を意味している。
【００３５】
後壁部１１は、左右方向に長尺の略矩形状であり、その上端部が蓋部１０の先端部１０２と着脱手段を介して着脱可能な蓋着脱部１１１として構成されている。蓋着脱部１１１は、前壁部１２側に倒れ可能に構成されている。具体的には、蓋着脱部１１１は、上下方向に起立した起立位置から略水平となるまで前壁部１２側に倒れた倒れ位置とを回動可能に構成されている。よって、蓋着脱部１１１は、倒れ位置においてバッグ本体９の開口部の一部を閉塞する。
【００３６】
また、蓋着脱部１１１の外面には、蓋着脱部１１１と蓋部１０とを着脱可能とする着脱手段としての面ファスナの被係合部Ｆ１１が設けられている。尚、本実施形態では、面ファスナの被係合部Ｆ１１は、後壁部１１の左右方向全域に亘るように設けられているが、例えば後壁部１１の左右方向略中央の領域などの一部の領域にのみ設けた場合でもよい。
【００３７】
また、後壁部１１の内面には、エギ収納体係止部１１２が左右に一対設けられている。エギ収納体係止部１１２は、左右方向に伸びる横辺１１２ａと下方に伸びる縦辺１１２ｂとが略直角に交わる略直角三角形状であり、斜辺１１２ｃ側が開口したポケット状である。尚、各エギ収納体係止部１１２の横辺１１２ａの上下方向の位置は、互いにほぼ同じ位置になっており、本実施形態では、蓋着脱部１１１の回動の中心Ｃ２の位置に対応している。
【００３８】
また、後壁部１１には、バッグ８を使用者Ｈの腰部に巻き付けるための腰ベルト１９を挿通するための腰ベルト挿通部が設けられている。具体的には、腰ベルト挿通部は、後壁部１１の外面に左右一対の開口を設けて外部領域と後壁部１１の内部領域とを連通することにより形成されている。尚、腰ベルト挿通部の左右双方の開口部には、スライドファスナーが上下方向にそれぞれ設けられており、開閉自在になっている。
【００３９】
尚、腰ベルト１９は、後壁部１１の外面の一方の開口から他方の開口まで通すことによってバッグ本体９に取り付けることもできるし、折畳んで腰ベルト挿通部の内部に収納することもできる。また、腰ベルト１９の一端部にはバックルの係合部が設けられ、他端部にはバックルの被係合部が設けられており、バッグ８を腰部に巻き付けて着用する際には、腰ベルト１９の一端部の係合部を他端部の被係合部に係合させることでバッグ８を確実に装着することができる。
【００４０】
側壁部１３は、上下方向に長尺の略矩形状であり、前壁部１２の左右両端部と後壁部１１の左右両端部とをそれぞれ連結するように左右に対向して一対設けられている。具体的には、側壁部１３は、一方が前壁部１２の左端部と後壁部１１の左端部とを連結し、他方が前壁部１２の右端部と後壁部１１の右端部とを連結するようにバッグ本体９の左右方向に対して一対設けられている。本実施形態においては、側壁部１３と後壁部１１とは固定されており、具体的には、両側壁部１３の各後端部と後壁部１１の左右両端部とがそれぞれ縫い合わせられて固定されている。
【００４１】
また、側壁部１３は、その上端部が他方の側壁部１３側に倒れ可能な浸入防止部１３１として構成されている。具体的には、浸入防止部１３１は、上下方向に起立した起立位置から他方の側壁部１３側に略水平となるまで倒れた倒れ位置とを回動可能に構成されている。浸入防止部１３１は、倒れ位置においてバッグ本体９の開口部の一部を閉塞する。尚、本実施形態では、浸入防止部１３１材は、その前後方向の長さが前壁部１２と後壁部１１との離間距離よりも若干小さくなるように構成されており、浸入防止部１３１と蓋着脱部１１１とを共に倒れ位置としたときに互いに緩衝しないようになっている。また、浸入防止部１３１と蓋着脱部１１１とは、共に起立状態としたときに、浸入防止部１３１の先端が蓋着脱部１１１の先端よりも上方になるようにそれぞれ構成されている。また、浸入防止部１３１と蓋着脱部１１１とは連結されていない。
【００４２】
尚、側壁部１３は、少なくとも浸入防止部１３１が一枚の生地にて構成されている。本実施形態では、側壁部１３は、防水性を有する外布と可撓性を有する内布とを備え、浸入防止部１３１は、外布が内布の上端から上方へ向けて舌片状に突出することによって形成されている。内布の上端部が浸入防止部１３１材の回動の中心Ｃ３に位置しており、浸入防止部１３１の回動の中心Ｃ２と蓋着脱部１１１の回動の中心Ｃ３とは上下方向の位置がほぼ一致している。尚、外布と内布との間にはクッション材が設けられている。
【００４３】
また、各側壁部１３の外面には、バッグ８を使用者Ｈの肩部に掛けるための肩ベルト１４を係合する三角リング１５がそれぞれ設けられている。そして、肩ベルト１４の両端部にそれぞれ設けられている各係合部材１４１（例えば、引掛けフックなど）を各々の三角リング１５に係合させ、肩ベルト１４を使用者Ｈの肩部に掛けてバッグ８を着用する。尚、側壁部１３の外面には、適宜小物収納用の第２ポケットやペットボトル等を収納する網ポケットなどを設けることができる。
【００４４】
前壁部１２は、左右方向に伸びる略矩形状であり、その左右方向の長さが後壁部１１の左右方向の長さにほぼ等しくなっている。前壁部１２は、後壁部１１に対向して設けられている。具体的には、前壁部１２は、後壁部１１に対し前側に所定距離離間して後壁部１１に対向している。即ち、前壁部１２と後壁部１１とは、後壁部１１が手前側（後側）に配置され、前壁部１２が手前側から遠くなる方向に所定距離離間（後壁部１１から前側に離間）して配置されている。
【００４５】
従って、図８に示すように使用者Ｈがバッグ８を着用すると、後壁部１１は、前壁部１２よりも使用者Ｈに近い配置となってその外面が使用者Ｈの身体に当接し、前壁部１２は、その内面が使用者Ｈ側に向いた状態で後壁部１１よりも使用者Ｈから離れた配置となる。
【００４６】
前壁部１２は、側壁部１３と着脱自在となっている。具体的には、前壁部１２の左右両端部と左右両側壁部１３の各前端部とは着脱手段としてのスライドファスナーＳ１を介して着脱自在となっている。従って、前壁部１２は、その下端部を中心に手前側及び手前から離れる側の双方（前後両方向）に回動可能であり、バッグ本体９の前面側を閉塞する閉じ位置とバッグ本体９の前面側を開放する開き位置とを回動可能に構成されている。尚、着脱手段として面ファスナを用いてもよい。
【００４７】
また、前壁部１２と側壁部１３とは、回動規制部１６によって連結されている。具体的には、回動規制部１６は、一方の頂点を下方に向けた略三角形状であり、上下方向に折目１６１が形成されるように内側に折畳み可能に構成されている。回動規制部１６は、前壁部１２の左右両端部と左右両側壁部１３の各前端部とをそれぞれ連結するように左右に一対設けられており、前壁部１２が閉じ位置に位置しているとき（バッグ本体９の前面側を閉じているとき）には、上下方向に伸びる折目１６１に沿って内側に折畳まれてバッグ本体９の内側に収納されており、前壁部１２が開き位置に位置しているとき（バッグ本体９の前面側を開放しているとき）には、突っ張った状態となって前壁部１２が開き位置よりも更に回動しないように、前壁部１２の回動を規制している。
【００４８】
また、前壁部１２の内面には、エギ収納体係止部１２１が左右に一対設けられている。エギ収納体係止部１２１は、左右方向に伸びる横辺１２１ａと下方に伸びる縦辺１２１ｂとで形成される略直角三角形状で、斜辺１２１ｃ側に開口したポケットであり、後壁部１１の内面に設けられているエギ収納体係止部１１２とほぼ同様の形状である。尚、前壁部１２に設けられている両エギ収納体係止部１２１は、後壁部１１に設けられている両エギ収納体係止部１１２にそれぞれ対応する位置に設けられており、本実施形態では、前壁部１２の各エギ収納体係止部１２１の左右方向に伸びる辺は、後壁部１１の各エギ収納体係止部１１２の左右方向に伸びる辺の上下方向の位置とそれぞれほぼ同じ上下方向の位置になっている。
【００４９】
また、前壁部１２の外面には、前壁部１２の外面全域に亘るように第１ポケット１７が設けられている。具体的には、第１ポケット１７は、第１ポケット１７の前壁部が前壁部１２の外面から前方側に所定距離離間して前壁部１２と対向するように構成されている。第１ポケット１７の前壁部は、その下端部を回動の中心として前後方向に回動可能に構成されている。つまり、第１ポケット１７の前壁部は、前壁部１２の前方に所定距離離間して前壁部１２に対向して配置され、その下端部が前壁部１２に固定される一方で上端部と左右側部とが前壁部１２に対し着脱可能となっている。尚、第１ポケット１７の前壁部には、適宜ポケットや手拭を掛けるためのフック等を設けることが可能である。
【００５０】
蓋部１０は、左右方向に伸びる略矩形状であり、その左右方向の長さが前壁部１２の左右方向の長さと一致しており、左右方向に直交する方向の長さが前壁部１２と後壁部１１との離間距離より若干長くなっている。蓋部１０は、その基端部１０１が前壁部１２の上端部に設けられており、基端部１０１が固定端として、先端部１０２が自由端として構成されている。つまり、蓋部１０は、その基端部１０１を回動の中心Ｃ４として手前方向（後方側）にも手前から遠くなる方向（前方側）にも回動可能となっている。具体的には、蓋部１０は、先端部１０２が基端部１０１を中心に基端部１０１の上方に弧を描くように、前方から後方へ向けて（手前に向けて）及び後方から前方へ向けて（手前から遠くなる側に）回動可能に構成されている。このように、蓋部１０がその基端部１０１を中心に回動可能に構成されることによって、バッグ本体９の開口を開閉することができる。
【００５１】
また、蓋部１０は、バッグ本体９の開口を閉じた状態において、その先端部１０２が蓋着脱部１１１に重なるように構成されている。具体的には、蓋部１０の先端部１０２の内側には、後壁部１１との着脱手段としての面ファスナの係合部Ｆ１２が設けられている。この係合部Ｆ１２を蓋着脱部１１１に設けられている被係合部Ｆ１１に係合することにより、バッグ本体９の開口を蓋部１０によって確実に閉じた状態としておける。また、蓋部１０の先端部１０２には、芯材が内包されている。具体的には、芯材は、蓋部１０の内部に蓋部１０の左右方向全域に亘って設けられており、例えば剛性の強い樹脂（硬い樹脂）から板状に構成されている。本実施形態では、蓋部１０は外布と内布とを備え、芯材は外布と内布との間に配置されており、蓋部１０の先端から面ファスナの被係合部が設けられている領域まで亘るように設けられている。
【００５２】
また、蓋部１０の先端部１０２の外面には、基端部１０１が蓋部１０の先端部１０２に取り付けられ、先端部１０２が自由端となるように構成された摘み部が設けられている。このような摘み部が設けられていると、摘み部を手指で摘んで蓋部１０を回動させることができるので、バッグ本体９の開口の開閉作業をより一層容易に行うことができる。
【００５３】
このような構成のバッグ８にエギ収納体１を収納する。具体的には、エギ収納体１の折代部６を下側にしてエギ収納体１をバッグ本体９の開口から投入する。本実施形態では、図８に示すように、バッグ本体９に投入するエギ収納体１は、内面２１同士が対向する一対の基材２を２組準備し、各組の一方の基材２の外面同士を重ね合わせて各組を並べて連結して構成されている。そして、前側の基材２の上方隅部を前壁部１２の内面に設けられたエギ収納体係止部１２１にそれぞれ係止し、後側の基材２の上方隅部を後壁部１１の内面に設けられたエギ収納体係止部１１２にそれぞれ係止する。このようにすると、前壁部１２の前後方向の回動動作に連動して基材２が回動することとなる。
【００５４】
このようにしてエギ収納体１をバッグ本体９の内部に収納し、蓋着脱部１１１と両浸入防止部１３１とを各々倒れ位置とし、蓋部１０を後方側に回動させて先端部１０２を蓋着脱部１１１に係合させてバッグ本体９の開口を閉じた状態として持ち運ぶ。そして、エギＥを交換する場合等には、蓋部１０の先端部１０２に設けられている摘み部を手指にて把持し、蓋部１０を前方側へ回動させることでバッグ本体９の開口が開く。更に、前壁部１２と側壁部１３とのスライドファスナーＳ１による係合を解除し、前壁部１２を前方へ回動させる。これにより、使用者Ｈのバッグ本体９の開口に対する視界が広くなり、容易且つ迅速にエギの出し入れ作業を行うことができる。
【００５５】
尚、第１ポケット１７の内部にエギ収納体１を収納することもできる。このとき、第１ポケット１７の前壁部１２及び第１ポケット１７の後壁部１１の内面の上方隅部にエギ収納体係止部をそれぞれ設けるとよい。また、第１ポケット１７の左右両側部に第１ポケット１７の前壁部１２の回動を規制するように回動規制部１６を一対設けると、第１ポケット１７の開き具合を調整できるので好ましい。
【００５６】
以上の構成からなるエギ収納体１にあっては、収納部形成部材４の上端４２が、基材２の内面２１側である基端４２ａから基材２と離間する側の先端４２ｂ側になるにつれて基材２の下端部２２側に下がっている第１坂部４２１と、第１坂部４２１に連続し先端４２ｂに至るまで底部材５と略平行（基材２の下端と略平行）となっている第２坂部４２２とを備えるので、例えば、収納部形成部材４の上端４２全体を、その基端４２ａから先端４２ｂへ向けて一定の割合で下がるように傾斜させた直線状にし、且つ、その傾斜を緩やかな傾斜とした場合よりも、収納部形成部材４の上端４２全体が下側に位置することとなり、収納部３を形成する収納部形成部材４が少なくなる。
【００５７】
一方で、収納部形成部材４の上端４２全体を、その基端４２ａから先端４２ｂへ向けて一定の割合で下がるように傾斜させた直線状にし、且つ、その傾斜を第１坂部４２１全体としての基材２の下端２２側への傾斜のように急な傾斜とした場合よりも、収納部３を形成する収納部形成部材４は先端部４ｂにおいて多くなる。
【００５８】
よって、エギＥを手指でしっかり摘んで収納部３から取り出す或いは収納部３へ収納する等の作業を容易に行うことができ、併せて、収納部３に収納したエギＥががさついて収納部３から不用意に飛び出してしまうのを防止することができ、使い勝手をよくすることができる。
【００５９】
また、前後に対向する各基材２を回動させて基材２同士を接近状態としたときに、一方の基材２に設けられた各収納部３の間に、他方の基材２に設けられた各収納部３が各々嵌め込まれて互いに相補的に噛み合うように構成されており、第１坂部４２１は、基材２の下端２２側に向けて下がる方向（傾斜方向）に対し略垂直な方向に弓形に凸となる曲線形状であるので、例えば、第１坂部４２１が収納部形成部材４の上端４２の基端４２ａから先端４２ｂへ向けて一定の割合で傾斜した直線形状である場合よりも、収納部形成部材４の第１坂部４２１に対応する部分が多くなり、バッグ８内部やエギケース１００内部などでエギＥが不用意に飛び出して収納状態が乱れるのをより確実に防止することができる。また、基材２同士を接近状態としたときには、一方の基材２側の第１坂部４２１と、この第１坂部４２１に噛み合う他方の基材２側の他の第１坂部４２１との接点Ｘが、より一層上側に位置することとなり、噛み合った一方及び他方の収納部形成部材４双方によって、確実にエギＥの不用意な飛び出しを防止することができる。尚、第１坂部４２１の弓形の形状を小さくする（弓形の径を小さくする）ことにより上記接点Ｘを更に上側に配置することができてエギＥの不用意な飛び出しを確実に防止することができるようになる。しかしながら、弓形の形状を小さくすると、エギＥを収納部３から取り出す際に、取り出す手指が収納部形成部材４に当たって傷付いてしまう虞がある。従って、本実施形態のように、弓形の形状は大きくする（弓形の径を大きくする）ことが好ましく、このようにすることにより、大きなエギＥから小さなエギＥに至るまで、一様に取り出し作業を安全に行うことができる。
【００６０】
尚、本実施形態では、エギ収納体１が一対の基材２を一組のみ備える場合及び２組備える場合について説明したが、これに限られず、例えば、内面同士が対向する一対の基材２を複数組準備し、各組の一方の基材２の外面同士を重ね合わせて各組を並べて連結した場合であってもよい。この場合、それぞれの組を構成する両基材２の下端部２２間に亘るように折代部６をそれぞれ設けることも、各組を構成する基材２の下端部２２全てを連結するように折代部６を設けることもできる。
【００６１】
また、本実施形態では、第１坂部４２１の形状が基材２の下端２２側に向けて下がる方向（傾斜方向）に略垂直な方向に弓形に凸となる曲線形状である場合について説明したが、これに限られず、例えば、基端４２ａから先端４２ｂ側へ向けて一定の割合で下端２２側に下がる直線形状であってもよい。また、基端４２ａから先端４２ｂ側へ向けて段階的に下端２２側に下がる段差形状であってもよい。
【００６２】
更に、本実施形態では、第２坂部４２２が第１坂部４２１に連続し先端４２ｂに至るまで下端４１と略平行となっている場合について説明したが、これに限られず、第１坂部４２１と同じ方向であって第１坂部４２１よりも緩やかに下端４１側に下がっている場合でもよい。具体的には、第２坂部４２２は、第１坂部４２１の先端４２ｂ側にて第１坂部４２１に連続し、先端４２ｂに至るまで収納部形成部材４の下端４１側に下がっており、且つ、その下端４１側に下がる割合が第１坂部４２１全体の下端４１側に下がる割合よりも小さくなるように形成されてもよい。
【図面の簡単な説明】
【００６３】
【図１】本発明の一実施形態に係るエギ収納体を示す斜視図。
【図２】同エギ収納体の要部拡大断面図。
【図３】同エギ収納体の収納部からエギを出し入れする様子を示す概略図。
【図４】同エギ収納体の収納部が相補的に噛み合う様子を示す上面図。
【図５】同エギ収納体をエギケースとして用いた場合の斜視図。
【図６】同エギ収納体をエギケースとして用いた場合の下面図。
【図７】他の実施形態に係るエギ収納体をエギケースとして用いた場合の斜視図。
【図８】同エギ収納体をバッグに収納した状態を示す斜視図。
【符号の説明】
【００６４】
１…エギ収納体、２…基材、３…収納部、４…収納部形成部材、５…底部材、６…折代部、７…収納壁部材、８…バッグ、９…バッグ本体、１０…蓋部、１１…後壁部、１２…前壁部、１３…側壁部、１４…肩ベルト、１５…三角リング、１６…回動規制部、１７…保護テープ、１８…ベルト通し部、１９…腰ベルト、６１…水抜き口、１００…エギケース、１１１…蓋着脱部、１１２，１２１…エギ収納体係止部、１３１…浸入防止部、１４１…係合部材、４２１…第１坂部、４２２…第２坂部、Ｃ１，Ｃ２，Ｃ３，Ｃ４…回動の中心、Ｅ…エギ、Ｈ…使用者、Ｓ１，Ｓ２…スライドファスナー
【図１】
2008011736.tif 000003
【図２】
2008011736.tif 000004
【図３】
2008011736.tif 000005
【図４】
2008011736.tif 000006
【図５】
2008011736.tif 000007
【図６】
2008011736.tif 000008
【図７】
2008011736.tif 000009
【図８】
2008011736.tif 000010